Podtech/llm-jp-corpus-v4-ja_patent huggingface dataset:
【手続補正書】
【提出日】令和3年8月18日(2021.8.18)
【手続補正１】
【補正対象書類名】手続補正書
【補正対象項目名】手続補正７
【補正方法】変更
【補正の内容】
【手続補正７】
【補正対象書類名】明細書
【補正対象項目名】００２１
【補正方法】変更
【補正の内容】
【００２１】
【図１】図１Ａは、本開示の実施例に係るデジタルマイクロ流体チップ用の駆動方法を示すフローチャートである。図１Ｂは、本開示の駆動方法の一実施例の模式的なタイミングチャートである。
【図２】図２は、本開示の駆動方法の他の実施例の模式的なタイミングチャートである。
【図３】図３は、本開示の駆動方法のさらに他の実施例の模式的なタイミングチャートである。
【図４】図４は、本開示の駆動方法のまた他の実施例の模式的なタイミングチャートである。
【図５】図５は、本開示の駆動方法の一実施例の模式的なタイミングチャートである。
【図６】図６は、本開示の駆動方法の他の実施例の模式的なタイミングチャートである。
【図７】図７は、本開示の一実施例の駆動システムの模式的なブロック図である。
【図８】図８は、本開示の他の実施例の駆動システムの模式的なブロック図である。
【図９】図９は、本開示の一実施例の駆動システムの模式的な回路図である。
【図１０】図１０は、本開示の一実施例の駆動システムの動作プロセスの模式的なフローチャートである。
【図１１Ａ】図１１Ａは、本開示の一実施例の駆動システムの動作プロセスの模式的なフローチャートである。
【図１１Ｂ】図１１Ｂは、本開示の一実施例の駆動システムの動作プロセスの模式的なフローチャートである。
【手続補正２】
【補正対象書類名】手続補正書
【補正対象項目名】手続補正１６
【補正方法】変更
【補正の内容】
【手続補正１６】
【補正対象書類名】図面
【補正対象項目名】図１
【補正方法】変更
【補正の内容】
【図１】
2020534991.tif 000001
【手続補正３】
【補正対象書類名】手続補正書
【補正対象項目名】手続補正１７
【補正方法】削除
【補正の内容】
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
第１の複数の縦溝と、フィルタアセンブリの第１の端部上の第１の流れ面と、前記フィルタアセンブリの反対側の第２の端部上の第２の流れ面とを相互に画定する、フィルタ媒体の第１のシートと前記フィルタ媒体の第２のシートとを備え、
前記第１の複数の縦溝のそれぞれが、前記第１の流れ面から前記第２の流れ面までの距離を画定し、
前記第１の複数の縦溝のそれぞれが、前記第１の流れ面における縦溝開口部と、前記第２の流れ面の近くの縦溝閉鎖部とを画定し、
前記第１の複数の縦溝の第１の縦溝が第１の縦溝距離を画定し、
前記第１の複数の縦溝の第２の縦溝が第２の縦溝距離を画定し、
前記第１の縦溝距離及び前記第２の縦溝距離が、２ｍｍを超えて異なる、
フィルタアセンブリ。
【請求項２】
前記フィルタ媒体の第１のシート及び前記フィルタ媒体の第２のシートが不連続である、
請求項１に記載のフィルタアセンブリ。
【請求項３】
前記フィルタ媒体の第１のシート及び前記フィルタ媒体の第２のシートが連続し、折り目によって分離されている、
請求項１に記載のフィルタアセンブリ。
【請求項４】
ｚ軸のまわりに渦巻状構成を画定するフィルタ媒体を備え、
前記フィルタ媒体が、第１の流れ面と、第２の流れ面と、前記第１の流れ面から前記第２の流れ面に延在する複数の縦溝とを画定し、
前記複数の縦溝のそれぞれが、縦溝開口部と縦溝閉鎖部とを画定し、
前記複数の縦溝が、前記第１の流れ面と前記第２の流れ面との間の第１の縦溝距離を画定する第１の縦溝と、前記第１の流れ面と前記第２の流れ面との間の第２の縦溝距離を画定する第２の縦溝とを備え、
前記第１の縦溝距離が、前記第２の縦溝距離と２ｍｍを超えて異なる、
フィルタアセンブリ。
【請求項５】
フィルタ媒体の第１のシートと、前記フィルタ媒体の第１のシートに隣接するフィルタ媒体の第２のシートとを備え、
前記第１のシート及び前記第２のシートが前記ｚ軸のまわりに渦巻状構成を画定し、
前記第１のシート及び前記第２のシートが前記複数の縦溝を相互に画定する、
請求項４に記載のフィルタアセンブリ。
【請求項６】
前記第１のシート及び前記第２のシートが不連続である、
請求項５に記載のフィルタアセンブリ。
【請求項７】
前記第１のシート及び前記第２のシートが連続し、前記第２の流れ面を画定する折り目によって分離されている、
請求項５に記載のフィルタアセンブリ。
【請求項８】
フィルタアセンブリであって、
複数の縦溝と、第１の流れ面を画定する第１の縁部と、前記フィルタアセンブリに対して前記第１の流れ面の反対側の第２の流れ面とを画定するフィルタ媒体を備え、
前記複数の縦溝のそれぞれが、前記第１の流れ面における縦溝開口部と、前記第２の流れ面の近くの縦溝閉鎖部とを画定し、
前記複数の縦溝が、非平面状である縦溝開口部を画定する少なくとも１つの縦溝を備える、
フィルタアセンブリ。
【請求項９】
前記フィルタ媒体が、ｚ軸のまわりの渦巻状構成である、フィルタ媒体の第１のシート及びフィルタ媒体の第２のシートを備える、
請求項８に記載のフィルタアセンブリ。
【請求項１０】
前記フィルタ媒体の第１のシートが縦溝付きシートであり、
前記フィルタ媒体の第２のシートが対面シートである、
請求項９に記載のフィルタアセンブリ。
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
患者の顎顔面領域のｘ線イメージングに関する動作パラメータを入手する方法であって、前記方法は：
−患者の顎顔面第１関心領域（ＲＯＩ１）を識別するステップ；、
−前記患者が咬合位置にあるか、患者位置決めアクセサリを咬む時に、前記患者の顎顔面第１関心領域（ＲＯＩ１）の水平面の高さを判定する、事前判定フェーズのステップであって、前記水平面は、歯および顎の骨を通過する、ステップ；  −前記患者の顎顔面第１関心領域（ＲＯＩ１）の水平面の高さを判定した場合に、ｘ線ＣＢＣＴイメージングおよび第１のｘ線線量を使用して、スリット形状のコリメータ・ウィンドウを介して、前記水平面を含む前記患者の顎顔面第１関心領域（ＲＯＩ１）に対する相対的なデータの第１のセットを獲得するステップであって、データの前記第１のセットは、ＣＢＣＴスライスを生成するのに適する、ステップ；
−前記患者の顎顔面第１関心領域（ＲＯＩ１）に対する相対的なデータの前記第１のセットに基づいて前記水平面を含む前記ＣＢＣＴスライスを再構成するステップ；
−第２のｘ線線量を使用する患者の顎顔面第２関心領域（ＲＯＩ２）のデータの第２のセットの獲得を考慮して、前記再構成されたＣＢＣＴスライスに基づいてｘ線イメージング装置の動作パラメータを入手するステップであって、前記第１のｘ線線量は、前記第２のｘ線線量より低い、ステップ、
を含む方法。
【請求項２】
前記患者の前記水平面の高さを判定するステップは、事前に、
−前記患者の顎顔面第１関心領域（ＲＯＩ１）を含む横ｘ線スカウト・ビューを獲得するステップ；
−ランドマークを含む前記患者の顎顔面第１関心領域（ＲＯＩ１）を含む光学画像を獲得するステップ；
−患者位置決めデバイスを使用して前記患者の顎顔面第１関心領域（ＲＯＩ１）に対する物理測定を実行するステップ、
のうちの１つを含む、請求項１に記載の方法。
【請求項３】
前記再構成されたＣＢＣＴスライスに基づいて、前記患者の顎顔面第１領域形態に対するまたは前記患者の顎顔面第１領域内のｘ線患者減衰に対する相対的な特徴を判定するステップを含み、動作パラメータの前記入手は、前記判定された特徴に基づく、請求項１または２に記載の方法。
【請求項４】
前記患者の顎顔面第１領域形態に対する相対的な前記判定された特徴は、前記患者の顎顔面第１領域の歯列弓の幅、奥行き、および形状のうちの少なくとも１つを含む、請求項３に記載の方法。
【請求項５】
前記患者の顎顔面第１領域の前記歯列弓の前記幅は、前記患者の下顎枝の２つの端の間の幅を判定することによって判定される、請求項４に記載の方法。
【請求項６】
前記患者の顎顔面第１領域形態に対する相対的な前記判定された特徴は、歯列弓に関する前記歯の相対位置を含む、請求項３から５のいずれか１項に記載の方法。
【請求項７】
前記患者の形態は、前記顎顔面第１領域の幅と、異なる患者の形態の所定のモデルまたは所定の異なる患者の形態特性とのこの幅の比較との両方に基づいて判定される、請求項４から６のいずれか１項に記載の方法。
【請求項８】
前記患者の形態は、切歯の位置に対する相対的な前記患者の下顎枝の奥行きに基づいても判定される、請求項７に記載の方法。
【請求項９】
前記所定の異なる患者の形態特性は、Ｕ形状、Ｖ形状、および正方形形状を含む歯列弓形状の所定のセットを含む、請求項７または８に記載の方法。
【請求項１０】
前記再構成されたＣＢＣＴスライスに基づいてｘ線源および少なくとも１つのｘ線センサを含むｘ線イメージング装置の動作パラメータを入手するステップは、形態データに基づいて、線源と前記ｘ線センサとの両方の軌跡を調整するステップを含む、請求項１から９のいずれか１項に記載の方法。
【請求項１１】
前記再構成されたＣＢＣＴスライスに基づいてｘ線源および少なくとも１つのｘ線センサを含むｘ線イメージング装置の動作パラメータを入手するステップは、形態データに基づいて、前記ｘ線源のｘ線線量を調整するステップを含む、請求項１から１０のいずれか１項に記載の方法。
【請求項１２】
前記再構成されたＣＢＣＴスライスに基づいてｘ線源および少なくとも１つのｘ線センサを含むｘ線イメージング装置の動作パラメータを入手するステップは、再構成されたＣＢＣＴスライス上の前記患者の顎顔面第１領域骨密度によるｘ線減衰の測定に基づいて、前記ｘ線源のｘ線線量を調整するステップを含む、請求項１から１１のいずれか１項に記載の方法。
【請求項１３】
ｘ線イメージング装置の動作パラメータを入手するステップは、
−動作パラメータの所定のセットを選択するステップ、
−所定のモデルに基づいて動作パラメータを判定するステップ
のうちの１つを含む、請求項１から１２のいずれか１項に記載の方法。
【請求項１４】
前記第１のｘ線線量は、前記第２のｘ線線量の２０％を超えない、請求項１から１３のいずれか１項に記載の方法。
【請求項１５】
患者の顎顔面領域のｘ線イメージングに関する動作パラメータを入手するためのｘ線ＣＢＣＴ（Ｃｏｎｅ  Ｂｅａｍ  Ｃｏｍｐｕｔｅｄ  Ｔｏｍｏｇｒａｐｈｙ）イメージングシステムであって、
−患者が咬合位置にあるか患者位置決めアクセサリを咬む時に前記患者の顎顔面第１関心領域に対する相対的なデータの第１のセットを獲得するために、第１のｘ線線量から形成されるスリット形状のｘ線ビームを用いて前記患者の顎顔面第１関心領域を照射する間に前記患者の顎顔面第１関心領域の周囲を移動するように構成されたｘ線源および少なくとも１つのｘ線センサであって、前記患者の顎顔面第１関心領域は、歯および顎の骨を通過する水平面を含み、データの前記第１のセットは、ＣＢＣＴスライスを生成するのに適する、ｘ線源および少なくとも１つのｘ線センサと、
−前記患者の顎顔面第１関心領域に対する相対的なデータの前記第１のセットに基づいて前記水平面を含む前記ＣＢＣＴスライスを再構成し、
第２のｘ線線量を使用する前記患者の顎顔面第２領域のデータの第２のセットの獲得を考慮して、前記再構成されたＣＢＣＴスライスに基づいて、ｘ線イメージング装置の動作パラメータを入手し、前記第１のｘ線線量は、前記第２のｘ線線量より低い
ように構成されたマイクロプロセッサと
を備えるシステム。
【請求項１６】
コンピュータまたはマイクロプロセッサに請求項１から１４のいずれかに記載の方法を実行させる命令をその中に記憶されたコンピュータ記憶媒体。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
毛切断デバイスのための切断ユニットであって、
切断ブレードを支持するブレードキャリアと、
ガードであって、切断場所で前記切断ブレードと係合するブレード対向面と、ユーザの皮膚に接触する平坦なガード接触面と、前記ブレード対向面と前記ガード接触面との間に延びる複数の毛受入れスロットとを含み、前記ガード接触面は、前記ブレード対向面に対して角度付けられている、ガードと、
該ガードとは別個のガードエクステンダとを含み、該ガードエクステンダは、前記ガード接触面と協働して、ユーザの皮膚に接触するための前記ガード及び前記ガードエクステンダに亘る拡張接触ゾーンを提供するように構成される、平坦な延長接触面を含み、
前記ブレード対向面及び前記ガード接触面は、前記ガードの先端に向かって収束し、切断方向が、前記ガード接触面に沿って前記先端に向かって延び、前記ガードエクステンダは、前記延長接触面が前記切断方向に対して前記ガード接触面の後方にあるように構成され、
前記延長接触面は、前記切断方向に対して垂直な軸に沿って横方向の広がりを有し、前記ガード接触面と前記延長接触面の少なくとも横方向部分との間には前記切断方向に沿う間隙があることを特徴とする、
切断ユニット。
【請求項２】
前記ガードエクステンダは、前記ガードに取り付けられる、請求項１に記載の切断ユニット。
【請求項３】
前記ガードエクステンダは、前記ガードに取り外し可能に取り付けられる、請求項２に記載の切断ユニット。
【請求項４】
前記ガードエクステンダは、前記ガード接触面と前記延長接触面との間の境界に段を含む、請求項１乃至３のうちのいずれか１項に記載の切断ユニット。
【請求項５】
前記ガードエクステンダは、前記ガードの前記毛受入れスロットと整列するように構成される複数の毛受入れスロットを含む、請求項１乃至４のうちのいずれか１項に記載の切断ユニット。
【請求項６】
前記ガードエクステンダは、複数のフィンを含み、該複数のフィンは、それらの間に前記毛受入れスロットを定め、前記フィンは、前記ガードへの取り付けるために共通の本体から延びる、請求項５に記載の切断ユニット。
【請求項７】
前記ガードエクステンダは、前記延長接触面の後方に凸状揺動面を含む、請求項１乃至６のうちのいずれか１項に記載の切断ユニット。
【請求項８】
前記延長接触面の後方端が、前記ガードエクステンダの頂端で終端し、該頂端の後方の当該切断ユニットの後方部分が、前記頂端の後方で谷プロファイルを定め、それによって、使用中に、前記後方部分が前記ユーザの皮膚に接触するように、当該切断ユニットが方向付けられるときに、前記皮膚は、前記谷を架橋する、請求項１乃至７のうちのいずれか１項に記載の切断ユニット。
【請求項９】
前記延長接触面の後方端が、前記ガードエクステンダの頂端で終端し、当該切断ユニットは、前記頂端の後方に後方部分を有し、該後方部分は、該後方部分とユーザの皮膚との間の接触のための前記頂端についての当該切断ユニットの回転が前記切断場所を前記皮膚から持ち上げさせるように、構成される、請求項１乃至８のうちのいずれか１項に記載の切断ユニット。
【請求項１０】
前記ガードエクステンダは、前記延長接触面の少なくとも一部を定める横方向接触部材と、前記ガードエクステンダを取り付けるための取付け本体とを含み、該横方向接触部材と前記取付け本体との間には通路がある、請求項１乃至９のうちのいずれか１項に記載の切断ユニット。
【請求項１１】
前記延長接触面は、少なくとも１つの側方支持体を含み、該側方支持体は、前記ガード接触面と実質的に連続的である、請求項１乃至１０のうちのいずれか１項に記載の切断ユニット。
【請求項１２】
前記ガードは、当該切断ユニットの切断長を変更するよう前記ブレードキャリアに沿って移動可能である、請求項１乃至１１のうちのいずれか１項に記載の切断ユニット。
【請求項１３】
ハウジングユニットと、請求項１乃至１２のうちのいずれか１項に記載の切断ユニットとを含む、毛切断デバイス。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
医療用撮像のためのＸ線撮像システムであって、前記Ｘ線撮像システムは、
Ｘ線を射出するＸ線源と、
射出された前記Ｘ線を検知するＸ線検知器と、
少なくとも１つの無人飛行体と、
前記Ｘ線源及び前記Ｘ線検知器のうちの少なくとも１つを制御し、且つ、前記少なくとも１つの無人飛行体を制御する、少なくとも１つのコントローラと
を備え、
前記Ｘ線源又は前記Ｘ線検知器は、前記少なくとも１つの無人飛行体に配置され、
前記Ｘ線撮像システムは、前記Ｘ線源と前記Ｘ線検知器との間に配置された物体のＸ線画像を撮影し、
前記少なくとも１つの無人飛行体は、少なくとも１つのカメラを備え、
前記少なくとも１つのコントローラは、
前記Ｘ線検知器の基準サイズ及び前記少なくとも１つのカメラの基準画像サイズに基づいて、前記Ｘ線源及び前記Ｘ線検知器の相対的な向き、並びに、前記Ｘ線源と前記Ｘ線検知器との間のＸ線源−検知器距離のうちの少なくとも１つを決定する、Ｘ線撮像システム。
【請求項２】
前記少なくとも１つの無人飛行体が、静止飛行位置又は静止地上位置を含む静止位置にあるときに、前記物体のＸ線画像が撮影される、請求項１に記載のＸ線撮像システム。
【請求項３】
前記Ｘ線撮像システムは、更なる無人飛行体を更に備え、
前記Ｘ線源は前記無人飛行体に配置され、前記Ｘ線検知器は前記更なる無人飛行体に配置され、
前記Ｘ線撮像システムは、前記無人飛行体が静止位置にあり、前記更なる無人飛行体が更なる静止位置にあるときに前記物体の前記Ｘ線画像を撮影する、請求項１に記載のＸ線撮像システム。
【請求項４】
前記少なくとも１つの無人飛行体は、前記Ｘ線源又は前記Ｘ線検知器を支持する伸縮可能支持体を備え、
前記少なくとも１つのコントローラは、前記無人飛行体の前記伸縮可能支持体を作動させることによって、前記Ｘ線源及び前記Ｘ線検知器が互いに対して対向して配置されるように前記Ｘ線源又は前記Ｘ線検知器を位置決めする、請求項１に記載のＸ線撮像システム。
【請求項５】
前記少なくとも１つのコントローラは、
撮像タスクに基づいて少なくとも１つの取得パラメータの値を決定し、前記撮像タスクは、前記Ｘ線撮像システムによって検査されるべき前記物体の少なくとも一部を指定し、
前記Ｘ線源、前記Ｘ線検知器、及び前記少なくとも１つの無人飛行体のうちの少なくとも１つを制御することによって、前記少なくとも１つの取得パラメータの前記値を自動的に調節する、請求項１に記載のＸ線撮像システム。
【請求項６】
前記少なくとも１つの取得パラメータは、Ｘ線源−検知器距離、Ｘ線電圧、Ｘ線電流、視界、倍率、及び取得時間のうちの少なくとも１つである、請求項５に記載のＸ線撮像システム。
【請求項７】
前記Ｘ線撮像システムは、少なくとも１つの通信インタフェースを更に備え、
前記Ｘ線撮像システムは、前記通信インタフェースを介して撮像タスクに関連するデータを受信し、前記撮像タスクは、前記Ｘ線撮像システムによって検査されるべき前記物体の少なくとも一部を指定し、及び／又は、
前記Ｘ線撮像システムは、前記通信インタフェースを介して前記Ｘ線画像に関連するデータを送信する、請求項１に記載のＸ線撮像システム。
【請求項８】
前記コントローラは、前記少なくとも１つのカメラを使用した画像認識に基づいて、前記少なくとも１つの無人飛行体を、前記物体に対して、前記Ｘ線撮像システムによって検査されるべき前記物体の少なくとも一部が前記Ｘ線源と前記Ｘ線検知器との間に配置されるように、位置決めする、請求項１に記載のＸ線撮像システム。
【請求項９】
前記Ｘ線撮像システムは更なる無人飛行体を備え、
前記Ｘ線源は前記無人飛行体に配置され、前記Ｘ線検知器は前記更なる無人飛行体に配置され、
前記少なくとも１つのコントローラは、前記少なくとも１つのカメラを使用した画像認識に基づいて、前記無人飛行体及び前記更なる無人飛行体を互いに対して位置決めすることによって、前記Ｘ線源を前記Ｘ線検知器に対して整列させる、請求項１に記載のＸ線撮像システム。
【請求項１０】
前記コントローラは、Ｘ線画像取得中に、前記少なくとも１つの無人飛行体及び更なる無人飛行体のうちの少なくとも１つを操縦することによって、及び、前記無人飛行体及び前記更なる無人飛行体を互いに対して位置決めすることによって、前記相対的な向き及び／又は前記Ｘ線源−検知器距離を維持する、請求項１に記載のＸ線撮像システム。
【請求項１１】
前記コントローラは、前記無人飛行体及び／又は前記更なる無人飛行体を前記物体の周囲の軌道に沿って操縦し、
前記Ｘ線撮像システムは、前記軌道に沿って複数のＸ線画像を撮影することに基づいて、前記物体の少なくとも一部をスキャンする、請求項９に記載のＸ線撮像システム。
【請求項１２】
前記少なくとも１つのカメラは、前記物体のＸ線画像取得中に複数の画像を撮影し、
前記少なくとも１つのコントローラは、前記少なくとも１つのカメラによって撮影された前記複数の画像の画像データに基づいて、前記Ｘ線画像取得中の前記物体の運動を決定し、
前記少なくとも１つのコントローラは、前記Ｘ線画像取得中に前記少なくとも１つのカメラによって撮影された前記複数の画像の前記画像データに基づいて、前記Ｘ線画像取得中の前記物体の前記運動を補償及び／又は補正する、請求項１に記載のＸ線撮像システム。
【請求項１３】
遠隔制御を使用して前記Ｘ線撮像システムを制御する制御デバイスを更に備える、請求項１に記載のＸ線撮像システム。
【請求項１４】
Ｘ線撮像システムによって、検査されるべき物体のＸ線画像を取得するための方法であって、前記方法は、
Ｘ線源と、Ｘ線検知器と、少なくとも１つの無人飛行体とを提供するステップであって、前記Ｘ線源又は前記Ｘ線検知器は前記無人飛行体に取り付けられる、提供するステップと、
前記少なくとも１つの無人飛行体を、前記物体に対して、前記物体が前記Ｘ線源と前記Ｘ線検知器との間に配置されるように、位置決めするステップと、
前記少なくとも１つの無人飛行体を操縦及び／又は位置決めすることによって、前記Ｘ線源及び前記Ｘ線検知器を整列させるステップと、
前記Ｘ線源と前記Ｘ線検知器との間に配置された前記物体のＸ線画像を撮影するステップと
を有し、
前記方法は、前記物体のＸ線画像を撮影するステップの前に、
前記Ｘ線検知器の基準サイズ及び少なくとも１つのカメラの基準画像サイズに基づいて、前記Ｘ線源及び前記Ｘ線検知器の相対的な向き、並びに、前記Ｘ線源と前記Ｘ線検知器との間のＸ線源−検知器距離のうちの少なくとも１つを決定するステップ
を更に有する、方法。
【請求項１５】
前記少なくとも１つの無人飛行体は、前記制御デバイスから制御信号を受信し、
前記無人飛行体によって受信される前記制御信号は、検査されるべき前記物体が設置されているＸ線撮像現場の地理的座標を含む、
請求項１３に記載のＸ線撮像システム。
【請求項１６】
前記無人飛行体によって受信される前記制御信号は、前記Ｘ線撮像システムによって検査されるべき前記物体の少なくとも一部を指定する撮像タスクに関連するデータ及び／又は情報を含む、請求項１５に記載のＸ線撮像システム。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
皮膚に液密に取り付けられるように構成された縁部により囲まれた凹状の壁によって画定されたキャビティを含む血餅成型器であって、前記縁部が皮膚に取り付けられたら前記キャビティ内に血液を導入するために、前記血餅成型器の凹状の壁は、（ｉ）穴開け可能であって血液を前記キャビティに導入するのに適した部分と、（ｉｉ）前記血液を前記キャビティに導入するのに適したポートとのうち一方を含む、血餅成型器と、
創傷の上に固定された後で血液を前記キャビティに導入して、前記血液が創傷と接触し、前記キャビティ内の創傷の上で凝固するようにする器具と、
血液凝固開始剤と、
を具えることを特徴とする創傷ドレッシングアセンブリ。
【請求項２】
請求項１に記載の創傷ドレッシングアセンブリにおいて、前記器具は、縁部に取り外し可能に固定され、前記キャビティを封止するクロージャを含むことを特徴とする創傷ドレッシングアセンブリ。
【請求項３】
請求項１または２に記載の創傷ドレッシングアセンブリにおいて、前記血餅成型器は、前記縁部に取り外し可能に固定され、成型空間を封止する、例えば、フィルムの形態のクロージャを含むことを特徴とする創傷ドレッシングアセンブリ。
【請求項４】
請求項１乃至３のいずれか一項に記載の創傷ドレッシングアセンブリにおいて、前記縁部は皮膚にくっつけるための接着剤を有することを特徴とする創傷ドレッシングアセンブリ。
【請求項５】
請求項１乃至４のいずれか一項に記載の創傷ドレッシングアセンブリにおいて、形成された血餅内で一体化するように構成された足場マトリックスを具えることを特徴とする創傷ドレッシングアセンブリ。
【請求項６】
請求項５に記載の創傷ドレッシングアセンブリにおいて、前記足場マトリックスは、前記キャビティ内に含まれることを特徴とする創傷ドレッシングアセンブリ。
【請求項７】
請求項１乃至６のいずれか一項に記載の創傷ドレッシングアセンブリにおいて、
前記壁に穴を開けて、血液を前記キャビティに注入する注射器および針と、
前記血餅の上に固定するドレッシング材とのうち一方または両方を具えることを特徴とする創傷ドレッシングアセンブリ。
【請求項８】
請求項１乃至７のいずれか一項に記載の創傷ドレッシングアセンブリにおいて、前記凝固開始剤は、
血液と混合、または創傷の上に直接適用するのに適した粉末、顆粒、または溶液の形態であり、
前記キャビティ内に事前にあり、
前記キャビティ内に含まれ、または前記取り付けの前に前記創傷の上に載せることを意図した足場マトリックスに組み込まれることを特徴とする創傷ドレッシングアセンブリ。
【請求項９】
請求項１乃至８のいずれか一項に記載の創傷ドレッシングアセンブリにおいて、前記キャビティの壁は、
前記血液をエンクロージャに導入中に過剰な圧力を除去するための、事前に封止された通気孔と、
血液を成型空間に導入するためのポートのうち一方または両方を具えることを特徴とする創傷ドレッシングアセンブリ。
【請求項１０】
請求項１乃至９のいずれか一項に記載の創傷ドレッシングアセンブリにおいて、前記壁は、血餅がくっつかない材料で作られることを特徴とする創傷ドレッシングアセンブリ。
【請求項１１】
請求項１乃至１０のいずれか一項に記載の創傷ドレッシングアセンブリにおいて、前記壁の少なくとも一部が透明であることを特徴とする創傷ドレッシングアセンブリ。
【請求項１２】
創傷手当方法に用いるための血餅成型器であって、
前記血餅成型器は、皮膚に液密に取り付けられるように構成された縁部により囲まれたキャビティを具え、
前記方法は、
創傷の上に血餅成型器を固定するステップであって、前記固定するステップが、前記創傷を囲む皮膚部分に前記縁部を取り付け、それによって前記創傷と前記キャビティとの間に画定された成型空間を形成する、ステップと、
血液を前記成型空間に導入するステップであって、前記血液が前記成型空間内で凝固するようにし、それによって血餅を前記創傷の上に形成する、ステップと、
創傷治癒期間の間、前記血餅を創傷の上に維持するステップと、
を備えることを特徴とする血餅成型器。
【請求項１３】
請求項１２に記載の血餅成型器において、前記固定するステップは、前記縁部を皮膚部分にくっつけるステップを備えることを特徴とする血餅成型器。
【請求項１４】
請求項１３に記載の血餅成型器において、前記縁部が接着剤を含む、または、前記接着剤が、前記固定するステップの前に、前記縁部または前記皮膚部分の上に取り付けられることを特徴とする血餅成型器。
【請求項１５】
請求項１２に記載の血餅成型器において、前記固定するステップは、前記成型空間内に真空を形成するステップを備えることを特徴とする血餅成型器。
【請求項１６】
請求項１２乃至１５のいずれか一項に記載の血餅成型器において、前記方法は、血餅形成前に前記血餅を足場マトリックスと組み合わせるステップであって、前記足場マトリックスが、形成された前記血餅内で一体化する、ステップを備えることを特徴とする血餅成型器。
【請求項１７】
請求項１６に記載の血餅成型器において、前記足場マトリックスは、前記固定するステップの前に前記創傷に取り付けられることを特徴とする血餅成型器。
【請求項１８】
請求項１７に記載の血餅成型器において、前記足場マトリックスは、前記キャビティ内に含まれることを特徴とする血餅成型器。
【請求項１９】
請求項１２乃至１８のいずれか一項に記載の血餅成型器において、前記方法は、
前記血餅の形成に続いて、前記成型器を創傷から取り外すステップと、
ドレッシング材、例えばガーゼを、前記血餅の上に固定するステップと、
を備えることを特徴とする血餅成型器。
【請求項２０】
請求項１２乃至１９のいずれか一項に記載の血餅成型器において、前記導入するステップは、
針により壁に穴を開けるステップと、
前記針を通して、血液を前記成型空間に注入するステップと、
を備えることを特徴とする血餅成型器。
【請求項２１】
請求項１２乃至２０のいずれか一項に記載の血餅成型器において、前記血液が全血であることを特徴とする血餅成型器。
【請求項２２】
請求項１２乃至２１のいずれか一項に記載の血餅成型器において、前記方法は、前記血液を凝固開始剤と接触させるステップを備えることを特徴とする血餅成型器。
【請求項２３】
請求項２２に記載の血餅成型器において、前記凝固開始剤は、
前記導入するステップの前に前記血液と混合され、
前記キャビティ内に事前にあり、
前記導入するステップの前または後に前記成型空間に加えられ、
前記キャビティ内に含まれる、または前記固定するステップの前に前記創傷に取り付けられる足場マトリックスに組み込まれることを特徴とする血餅成型器。
【請求項２４】
請求項１２乃至２３のいずれか一項に記載の血餅成型器において、
前記成型器は、縁部に取り外し可能に固定され、前記キャビティを封止するクロージャを含み、
前記クロージャは、前記固定するステップの前に取り外されることを特徴とする血餅成型器。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
超音波チャネルデータを取得するステップと、
自己回帰移動平均モデルにより予測誤差フィルタを生成するステップと、
前記予測誤差フィルタを用いて前記超音波チャネルデータのノイズを推定するステップと、
クリーンなチャネルデータを得るために前記超音波チャネルデータから前記ノイズを減じるステップと
を有する、方法。
【請求項２】
前記方法が超音波スキャンの深さごとに繰り返される、請求項１に記載の方法。
【請求項３】
前記予測誤差フィルタを生成するステップ、前記超音波チャネルデータの前記ノイズを推定するステップ、及び前記超音波チャネルデータから前記ノイズを減じるステップが、前記クリーンなチャネルデータに少なくとも部分的に基づいて反復して実行される、請求項１に記載の方法。
【請求項４】
前記予測誤差フィルタを生成する前に前記超音波チャネルデータを時間−空間ドメインから周波数−空間ドメインに変換するステップと、
前記クリーンなチャネルデータを前記周波数−空間ドメインから前記時間−空間ドメインに変換するステップと
をさらに有し、オプションで、前記方法が、超音波トランスデューサの帯域幅の時間周波数及び／又は時間周波数ビンごとに繰り返される、請求項１に記載の方法。
【請求項５】
前記自己回帰移動平均モデルにより予測誤差フィルタを推定するステップが、
前記予測誤差フィルタの多次数モデルを生成するステップと、
前記多次数モデル及び前記超音波チャネルデータを行列形式に変形するステップと、
前記予測誤差フィルタの固有値問題を解くステップであって、前記固有値問題が、ノイズの分散と予測誤差行列との積に等しい、ノイズ性シーケンスの相関行列と前記予測誤差行列との積を含む、解くステップと
を含み、
前記予測誤差フィルタの前記固有値問題の解が、前記ノイズ性シーケンスの前記相関行列の最小固有値に対応する固有ベクトルである、請求項１に記載の方法。
【請求項６】
前記超音波チャネルデータの前記ノイズを推定するステップが、前記予測誤差フィルタ及び前記ノイズ性シーケンスを逆畳み込みするステップを有する、請求項５に記載の方法。
【請求項７】
前記予測誤差フィルタを生成する前に、前記超音波チャネルデータに、幾何学的位置合せを行うか又は遅延を付与するステップをさらに有する、請求項１に記載の方法。
【請求項８】
前記クリーンなチャネルデータを加算するステップをさらに有する、請求項１に記載の方法。
【請求項９】
超音波信号を送受信する超音波トランスデューサアレイと、
受信した前記超音波信号に少なくとも部分的に基づいてチャネルデータを送信する超音波トランスデューサに動作可能に結合された少なくとも１つのチャネルと、
前記少なくとも１つのチャネルに動作可能に結合された信号プロセッサであって、前記信号プロセッサが、
前記少なくとも１つのチャネルから前記チャネルデータを取得し、
自己回帰移動平均モデルにより予測誤差フィルタを生成し、
前記予測誤差フィルタを用いて前記チャネルデータのノイズを推定し、
クリーンなチャネルデータを得るために前記チャネルデータから前記ノイズを減じる、信号プロセッサと
を含む、超音波イメージングシステム。
【請求項１０】
前記超音波トランスデューサアレイが、複数のトランスデューサ要素を含み、前記少なくとも１つのチャネルが、前記複数のトランスデューサ要素の各々に対するチャネルを含む、請求項９に記載の超音波イメージングシステム。
【請求項１１】
前記チャネルデータの遅延及び／又は幾何学的な位置合せを行うビームフォーマをさらに含み、前記信号プロセッサが、前記ビームフォーマからの前記チャネルデータを取得する、請求項９に記載の超音波イメージングシステム。
【請求項１２】
ビーム加算データを取得するステップであって、前記ビーム加算データが、複数の方向の複数の超音波送信イベントに応答している、取得するステップと、
自己回帰移動平均モデルにより予測誤差フィルタを生成するステップと、
前記予測誤差フィルタを用いて前記ビーム加算データのノイズを推定するステップと、
クリーンなデータを生成するために前記ビーム加算データから前記ノイズを減じるステップと
を有する、方法。
【請求項１３】
前記ビーム加算データが複数のビーム加算信号を含み、前記複数のビーム加算信号の各々が複数の深さを有し、前記予測誤差フィルタを生成するステップ、前記ノイズを推定するステップ、及び前記ノイズを減じるステップが、前記複数の深さの各々に対する前記複数のビーム加算信号の各々について繰り返される、請求項１２に記載の方法。
【請求項１４】
前記ビーム加算データが、異なるそれぞれのビーム送信方向から得られた複数のビーム加算信号をコヒーレントに合成することに基づいて生成される、請求項１２に記載の方法。
【請求項１５】
前記複数の超音波送信イベントの各々が、平面波又は発散波である、請求項１２に記載の方法。
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
Ｘ線放射線のビームを放出するＸ線源と、
撮像される物体を収容する検査領域をはさんで前記Ｘ線源の反対側に配置されたＸ線検出器と、
前記Ｘ線源と前記Ｘ線検出器との間に配置され、前記Ｘ線検出器によって検出可能な前記Ｘ線放射線上の縞パターンを変調する格子構成部と、
を備える、Ｘ線撮像デバイスであって、
前記Ｘ線検出器上での前記格子構成部の占有面積が、前記Ｘ線検出器の放射線感受エリアよりも小さく、
前記Ｘ線撮像デバイスは、前記物体が前記検査領域にない状態での撮像動作中に、参照スキャンデータを獲得する、Ｘ線撮像デバイスにおいて、
前記Ｘ線撮像デバイスは、スキャン動作において縞パターンの組が前記Ｘ線検出器によって検出されるように、前記Ｘ線検出器が前記検査領域に対して静止したままで、前記格子構成部をスキャン運動で前記Ｘ線検出器に対していくつかの異なる位置に移動させることと、縞パターンの異なる組のために前記格子構成部をスキャン運動で前記Ｘ線検出器に対して同じ位置に移動させることとにより、前記参照スキャンデータを獲得することを特徴とする、Ｘ線撮像デバイス。
【請求項２】
前記Ｘ線撮像デバイスは、前記物体が前記検査領域にある状態での撮像動作中に、前記格子構成部をスキャン運動で、縞パターンの前記組のうちの１つのため前記参照スキャンデータを獲得するために使用されたのと同じ、前記Ｘ線検出器に対する位置に移動させることにより、物体スキャンデータを獲得する、請求項１に記載のＸ線撮像デバイス。
【請求項３】
前記Ｘ線撮像デバイスが、前記物体の画像を取得するために、前記参照スキャンデータから取得されるパラメータに基づいて前記物体スキャンデータをフィットさせる、請求項２に記載のＸ線撮像デバイス。
【請求項４】
前記格子構成部は、位相コントラスト撮像及び／又は暗視野撮像を行うための撮像動作中に、少なくとも部分的にＸ線放射線の前記ビームの中に配置される、請求項３に記載のＸ線撮像デバイス。
【請求項５】
前記格子構成部が２つの格子を備え、前記２つの格子が、各スキャン運動中に互いに対して固定された空間的関係を保つ、請求項４に記載のＸ線撮像デバイス。
【請求項６】
前記Ｘ線撮像デバイスは、互いに対してインコヒーレントであり得る個々にコヒーレントなＸ線放射線の複数のビームを線源格子によって生成するように、前記Ｘ線源と前記検査領域との間に配置された前記線源格子を備える、請求項５に記載のＸ線撮像デバイス。
【請求項７】
前記Ｘ線撮像デバイスは、前記物体が前記検査領域にない状態での撮像動作中に、前記Ｘ線検出器が前記検査領域に対して静止したままで、前記格子構成部をスキャン運動で前記Ｘ線検出器に対して少なくとも４つの異なる位置に移動させ、それにより前記スキャン運動において縞パターンの組が前記Ｘ線検出器によって検出されることと、縞パターンの少なくとも２つの異なる組のために、前記格子構成部をスキャン運動で前記Ｘ線検出器に対して同じ位置に移動させることとにより、前記参照スキャンデータを獲得する、請求項１、２、３、４、５、又は６に記載のＸ線撮像デバイス。
【請求項８】
前記Ｘ線撮像デバイスが、後続する複数のスキャン運動の間に前記格子の互いに対する相対横方向位置を変えることにより、縞パターンの異なる組を生成する、請求項５又は６に記載のＸ線撮像デバイス。
【請求項９】
前記Ｘ線撮像デバイスが、前記パラメータを取得するために前記参照スキャンデータに第１の関数をフィットさせることと、前記参照スキャンデータから取得された前記パラメータを使用して前記物体スキャンデータに第２の関数をフィットさせることとにより、前記参照スキャンデータ及び前記物体スキャンデータを処理する処理ユニットを備える、請求項８に記載のＸ線撮像デバイス。
【請求項１０】
前記処理ユニットが、前記参照スキャンデータにＪｘｙα（ｚ）＝Ｉｘｙα（１＋Ｖｘｙαｃｏｓ（φｘｙα＋２πｚ／ｐ））である前記第１の関数をフィットさせ、ここで、Ｊｘｙα（ｚ）は、前記格子の互いに対する相対横方向位置ｚ、平均線束Ｉｘｙα、縞可視度Ｖｘｙα、縞位相φｘｙα、及び格子周期ｐに依存して、前記Ｘ線検出器に対する前記格子構成部の位置αについて、前記Ｘ線検出器のピクセルｘｙで獲得される前記参照スキャンデータである、請求項９に記載のＸ線撮像デバイス。
【請求項１１】
前記処理ユニットが、前記物体スキャンデータにＫｘｙα＝ＩｘｙαＴｘｙ（１＋ＶｘｙαＤｘｙｃｏｓ（ψｘｙ＋φｘｙα＋２πｚ０／ｐ））である前記第２の関数をフィットさせ、ここで、Ｋｘｙαは、前記格子の互いに対する相対横方向位置ｚ０、物体透過Ｔｘｙ、暗視野Ｄｘｙ、及び差分位相ψｘｙの画像について、前記Ｘ線検出器に対する前記格子構成部の前記位置αについて、前記Ｘ線検出器の前記ピクセルｘｙで獲得される前記物体スキャンデータである、請求項１０に記載のＸ線撮像デバイス。
【請求項１２】
前記格子構成部の前記２つの格子が位相格子及び吸収格子であり、前記格子同士の間の距離は、前記格子構成部がタルボ・ロー型干渉計を形成するように、タルボ距離の要件にフィットさせて調整される、請求項１１に記載のＸ線撮像デバイス。
【請求項１３】
請求項１に記載のＸ線撮像デバイスを動作させる方法であって、前記方法は、
物体が前記検査領域にない状態での撮像動作中に参照スキャンデータを獲得するために、前記スキャン運動において縞パターンの組が前記Ｘ線検出器によって検出されるように、Ｘ線検出器を検査領域に対して静止したままに保ちながら、格子構成部をスキャン運動で前記Ｘ線検出器に対していくつかの異なる位置に移動させるステップと、縞パターンの異なる組のために前記格子構成部をスキャン運動で前記Ｘ線検出器に対して同じ位置に移動させるステップとを有する、方法。
【請求項１４】
前記物体が前記検査領域にある状態での撮像動作中に物体スキャンデータを獲得するために、前記格子構成部をスキャン運動で、縞パターンの前記組のうちの１つのため前記参照スキャンデータを獲得するために使用されたのと同じ、前記Ｘ線検出器に対する位置に移動させるステップをさらに有する、請求項１３に記載の方法。
【請求項１５】
請求項１に記載のＸ線撮像デバイスを動作させるためのコンピュータプログラムであって、前記コンピュータプログラムは、前記コンピュータプログラムがプロセッサ上で実行されたときに、請求項１３に記載の方法を前記プロセッサに実行させるプログラムコード手段を備える、コンピュータプログラム。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
本体の壁と開口部上の取り外し可能なクロージャとの間に画定されるエンクロージャを有し、内部に血液を導入するために構成された血餅成型器と、
前記エンクロージャに導入された血液を凝固させて、血餅を形成するのに十分な量の凝固開始剤と
を具え、
形成された血餅を傷の上に移すことが可能であることを特徴とする創傷ドレッシングアセンブリ。
【請求項２】
請求項１に記載の創傷ドレッシングアセンブリにおいて、前記凝固開始剤が前記エンクロージャ内に含まれることを特徴とする創傷ドレッシングアセンブリ。
【請求項３】
請求項１または２に記載の創傷ドレッシングアセンブリにおいて、前記壁およびクロージャの少なくとも一方が、針により穴開けが可能であることを特徴とする創傷ドレッシングアセンブリ。
【請求項４】
請求項１乃至３の何れか一項に記載の創傷ドレッシングアセンブリにおいて、前記血餅を前記傷の上に移す器具を具えることを特徴とする創傷ドレッシングアセンブリ。
【請求項５】
請求項１乃至４の何れか一項に記載の創傷ドレッシングアセンブリにおいて、移す器具が、例えば、ガーゼ等のドレッシング材、および前記血餅を取り出して、ドレッシングまたは創傷の上に移すためのツールであることを特徴とする創傷ドレッシングアセンブリ。
【請求項６】
請求項１乃至５の何れか一項に記載の創傷ドレッシングアセンブリにおいて、前記エンクロージャが、前記血液をエンクロージャに注入するときに過剰な圧力を除去するために事前に密閉された通気口を具えることを特徴とする創傷ドレッシングアセンブリ。
【請求項７】
請求項１乃至６の何れか一項に記載の創傷ドレッシングアセンブリにおいて、前記エンクロージャは、血餅がくっつかない材料から作られることを特徴とする創傷ドレッシングアセンブリ。
【請求項８】
請求項１乃至７の何れか一項に記載の創傷ドレッシングアセンブリにおいて、前記エンクロージャがブリスターの一般的な形状を有し、前記クロージャが取り外し可能なフィルムであることを特徴とする創傷ドレッシングアセンブリ。
【請求項９】
請求項１乃至８の何れか一項に記載の創傷ドレッシングアセンブリにおいて、前記エンクロージャの少なくとも一部が透明であることを特徴とする創傷ドレッシングアセンブリ。
【請求項１０】
請求項１乃至９の何れか一項に記載の創傷ドレッシングアセンブリにおいて、前記エンクロージャが、血餅足場マトリックスを含むことを特徴とする創傷ドレッシングアセンブリ。
【請求項１１】
ある容量の血液を血餅成型器のエンクロージャに導入するステップであって、前記エンクロージャが、本体の壁と取り外し可能なクロージャとの間に画定され、凝固開始剤を含む、ステップと、
前記血液の凝固が可能になるよう十分な時間、前記血液をエンクロージャ内に維持して、それにより血餅を得るステップと、
前記クロージャを取り外して、前記エンクロージャを開くステップと、
前記血餅を前記エンクロージャから抽出するステップと
を具えることを特徴とする創傷ドレッシングを調製する方法。
【請求項１２】
請求項１１に記載の方法において、前記血餅をドレッシング材の上に組み合わせるステップを具えることを特徴とする方法。
【請求項１３】
請求項１１または１２に記載の方法において、前記エンクロージャが血餅−支持マトリックスを含み、前記抽出するステップが、前記マトリックスとともに前記血餅を取り出すことを含むことを特徴とする方法。
【請求項１４】
請求項１１乃至１３の何れか一項に記載の方法において、前記エンクロージャの壁および前記取り外し可能なクロージャの少なくとも一方が、針により穴開けが可能であり、
前記導入するステップが、前記壁およびクロージャの少なくとも一方に穴を開けるステップと、前記血液をそこから注入するステップとを含むことを特徴とする方法。
【請求項１５】
請求項１１乃至１４の何れか一項に記載の方法において、前記クロージャが取り外し可能なフィルムであることを特徴とする方法。
【請求項１６】
請求項１５に記載の方法において、前記エンクロージャがブリスターの一般的な形状を有することを特徴とする方法。
【請求項１７】
請求項１１乃至１６の何れか一項に記載の方法において、最初に、前記エンクロージャに穴を開けて通気口を形成して、次に、前記血液を注入することを特徴とする方法。
【請求項１８】
請求項１１乃至１７の何れか一項に記載の方法において、前記血液が全血であることを特徴とする方法。
【請求項１９】
傷の手当てをする方法に用いるためのエンクロージャであって、
前記エンクロージャは、本体の壁と取り外し可能なカバーとの間に画定され、凝固開始剤を含み、
前記方法は、
大量の血液をエンクロージャに導入するステップと、
前記血液の凝固が可能になるよう十分な時間、前記血液をエンクロージャ内に維持して、それにより血餅を得るステップと、
前記クロージャを取り外して、前記エンクロージャを開くステップと、
前記血餅を前記エンクロージャから抽出するステップと、
前記血餅を傷の上に固定するステップと
を備えることを特徴とするエンクロージャ。
【請求項２０】
請求項１９に記載のエンクロージャにおいて、前記固定するステップが、ドレッシング材を伴うことを特徴とするエンクロージャ。
【請求項２１】
請求項１９または２０に記載のエンクロージャにおいて、
前記エンクロージャが、血餅−支持マトリックスを含み、
前記抽出するステップが、前記マトリックスとともに前記血餅を取り出すことを備えることを特徴とするエンクロージャ。
【請求項２２】
請求項１９乃至２１の何れか一項に記載のエンクロージャにおいて、前記エンクロージャの壁と前記取り外し可能なクロージャの少なくとも一方が、針で穴開けが可能であり、
前記導入するステップが、前記壁およびクロージャの少なくとも一方に穴を開けるステップと、前記血液をそこから注入するステップとを備えることを特徴とするエンクロージャ。
【請求項２３】
請求項１９乃至２２の何れか一項に記載のエンクロージャにおいて、前記クロージャは、前記エンクロージャの壁の縁部に取り外し可能に貼り付けられたフィルムであることを特徴とするエンクロージャ。
【請求項２４】
請求項２３に記載のエンクロージャにおいて、前記エンクロージャが、ブリスターの一般的な形状を有することを特徴とするエンクロージャ。
【請求項２５】
請求項１８乃至２４の何れか一項に記載のエンクロージャにおいて、最初に、前記エンクロージャに穴を開けて通気口を形成し、次に、前記血液をエンクロージャに注入することを特徴とするエンクロージャ。
【請求項２６】
請求項１８乃至２５の何れか一項に記載のエンクロージャにおいて、前記血液が全血であることを特徴とするエンクロージャ。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
ＰＰＧセンサと、
前記ＰＰＧセンサからのＰＰＧセンサ出力信号を処理するコントローラであって、
前記ＰＰＧセンサ出力信号のベースライン変動を導出すること、
前記ＰＰＧセンサ出力信号から脈波振幅変動値を導出すること、及び
前記ＰＰＧセンサ出力信号の前記ベースライン変動に基づいて前記導出された脈波振幅変動値に修正が実現される、事前又は事後の調整ステップを行うこと、
に基づいて、修正済み脈波振幅変動値を生成するコントローラと、を備え、
上記調整ステップが、
脈波振幅変動値を導出するのに先立って前記ＰＰＧセンサ出力信号にベースライン変動補償を適用することであって、前記ベースライン変動補償が前記導出されたベースライン変動に基づくこと、及び／又は
前記脈波振幅変動値を導出した後に、前記導出されたベースライン変動を前記導出された脈波振幅変動値と加法的に結合することにより、前記修正済み脈波振幅変動値を生成すること、
を有する、センサシステム。
【請求項２】
前記ベースライン変動が、前記ＰＰＧセンサ出力信号のパルス最大値の経時的な変動に基づいて導出される、請求項１に記載のセンサシステム。
【請求項３】
前記ＰＰＧセンサが、指ＰＰＧセンサ又は額ＰＰＧセンサである、請求項１又は２に記載のセンサシステム。
【請求項４】
第２のＰＰＧセンサをさらに備え、
前記コントローラが、前記ＰＰＧセンサ及び前記第２のＰＰＧセンサからの出力信号を処理するものであり、
前記コントローラがさらに、
第２のＰＰＧセンサ出力信号から脈波振幅変動値を導出することと、前記第２のＰＰＧセンサ出力信号のベースライン変動に基づいて第２の導出された前記脈波振幅変動値に関して前記事前又は事後の調整ステップを行うことにより第２の脈波振幅変動値の修正を実現することとに基づいて、第２の修正済み脈波振幅変動値を生成し、
前記ＰＰＧセンサ及び前記第２のＰＰＧセンサについての前記修正済み脈波振幅変動値の結合に基づいて、出力脈波振幅変動信号を導出する、
請求項１から３のいずれか一項に記載のセンサシステム。
【請求項５】
前記ＰＰＧセンサのうち一方が指ＰＰＧセンサであり、他方が額ＰＰＧセンサである、請求項４に記載のセンサシステム。
【請求項６】
前記コントローラが、前記ＰＰＧセンサ及び前記第２のＰＰＧセンサについての前記修正済み脈波振幅変動値の平均値として、出力脈波振幅変動を導出する、請求項４又は５に記載のセンサシステム。
【請求項７】
前記ベースライン変動補償が高域通過フィルタ処理を行うことを含む、請求項１から６のいずれか一項に記載のセンサシステム。
【請求項８】
前記ベースライン変動補償が、前記ＰＰＧセンサ又は各ＰＰＧセンサについて、前記ＰＰＧセンサ出力信号又は各ＰＰＧセンサ出力信号のベースライン変動を導出し、導出された前記ベースライン変動を補償するように前記ＰＰＧセンサ出力信号又は各ＰＰＧセンサ出力信号を処理することを含む、請求項１から７のいずれか一項に記載のセンサシステム。
【請求項９】
前記調整ステップが、ベースライン変動補償を適用することと、前記ＰＰＧセンサ出力信号のベースライン変動を導出された前記脈波振幅変動値と結合することと、の両方を有する、請求項１から８のいずれか一項に記載のセンサシステム。
【請求項１０】
導出された前記ベースライン変動を導出された前記脈波振幅変動値と結合することが、導出されたベースライン変動値と導出された前記脈波振幅変動値との線形結合を行うことを有する、請求項１から９のいずれか一項に記載のセンサシステム。
【請求項１１】
前記コントローラが、脈波振幅変動値の組及びベースライン変動値の組を導出し、さらに、前記ＰＰＧセンサ又は各ＰＰＧセンサについて、前記ＰＰＧセンサ出力信号からの前記脈波振幅変動値及び／又は前記ベースライン変動値にメディアンフィルタを適用する、請求項１から１０のいずれか一項に記載のセンサシステム。
【請求項１２】
修正済み脈波振幅変動を導出する方法であって、前記方法が、
ＰＰＧ信号を測定するステップと、
前記ＰＰＧ信号のベースライン変動を導出するステップと、
前記ＰＰＧ信号から脈波振幅変動値を導出するステップと、
を有し、前記方法が、
前記ＰＰＧ信号の前記ベースライン変動に基づいて前記導出された脈波振幅変動値に修正が実現される事前又は事後の調整ステップを行うステップ、をさらに有し、前記調整ステップが、
前記脈波振幅変動値を導出するのに先立って、導出された前記ベースライン変動に基づいて前記ＰＰＧ信号にベースライン変動補償を適用すること、及び／又は
前記脈波振幅変動値を導出した後に、前記導出されたベースライン変動を前記導出された脈波振幅変動値と加法的に結合することにより、前記修正済み脈波振幅変動を生成すること
を有する、方法。
【請求項１３】
第２のＰＰＧ信号を測定するステップと、
前記第２のＰＰＧ信号から第２の脈波振幅変動を導出し、前記第２のＰＰＧ信号の導出されたベースライン変動に基づいて、前記第２の導出された脈波振幅変動に修正が実現される事前又は事後の調整ステップを行うこと
により第２の修正済み脈波振幅変動を生成するステップと、をさらに有し、前記調整ステップが、
前記第２の脈波振幅変動を導出するのに先立って、前記第２のＰＰＧ信号の導出された前記ベースライン変動に基づいて前記第２のＰＰＧ信号にベースライン変動補償を適用すること、及び／又は
前記第２の脈波振幅変動を導出した後に、前記第２のＰＰＧ信号の導出された前記ベースライン変動を前記第２の導出された脈波振幅変動と結合することにより、前記第２の修正済み脈波振幅変動を生成すること、
を有し、前記方法が、
ＰＰＧセンサ及び第２のＰＰＧセンサについての前記修正済み脈波振幅変動の結合に基づいて、出力脈波振幅変動信号を導出するステップをさらに有する、請求項１２に記載の方法。
【請求項１４】
コンピュータ上で実行されたときに、請求項１１から１３のいずれか一項に記載の方法を行うコンピュータプログラムコード手段を備えた、コンピュータプログラム。